(57)【要約】【課題】器具本体に組み込まれたときに光源部と器具本体の放熱部とが安定して接触可能な照明ユニットに適した照明装置を提供する。【解決手段】照明装置１０は、光源部１６が搭載される第１フレーム１１と、第１フレーム１１の前方に配置され、レンズ２６を保持する第２フレーム２１と、第１フレーム１１と第２フレーム２１との間に配置される第３フレーム３０とを備えており、第１フレーム１１と第２フレーム２１は互いに固定されて一体の主フレーム２０を構成し、第３フレーム３０と主フレーム２０は、弾性変形部３６を介して結合されてその結合位置で前後方向に相対的に変位自在である。【選択図】図１
2014235832.tif 000002
【特許請求の範囲】
【請求項１】
光源部が搭載される第１フレームと、前記第１フレームの前方に配置され、レンズを保持する第２フレームと、前記第１フレームと前記第２フレームとの間に配置される第３フレームとを備えており、前記第１フレームと前記第２フレームは互いに固定されて一体の主フレームを構成し、前記第３フレームと前記主フレームは、弾性変形部を介して結合されてその結合位置で前後方向に相対的に変位自在であることを特徴とする照明装置。
【請求項２】
前記第３フレームは、その外側面に、前記照明装置を外部の筐体に取り付けるための係止部を備えていることを特徴とする請求項１に記載の照明装置。
【請求項３】
前記第１フレームは、高熱伝導性材料から形成されていることを特徴とする請求項１または２に記載の照明装置。
【請求項４】
前記弾性変形部は、光軸回りに回転対称に配置されていることを特徴とする請求項１から３のいずれか１項に記載の照明装置。
【請求項５】
前記第２フレームは、前記光源部から出射された光を反射する傾斜面からなる反射面を有しており、前記反射面の前記第３フレーム側には補強用のリブが設けられるとともに、前記第３フレームの前記第２フレーム側には、前記リブを係止して前記主フレームと前記第３フレームとの相対的な回転を規制する係止片が設けられていることを特徴とする請求項１から４のいずれか１項に記載の照明装置。
【請求項６】
前記第３フレームは、前記第１フレーム側に突出するピンを有しており、前記弾性変形部は、前記ピンに配置されるスプリングワッシャーからなることを特徴とする請求項１から５のいずれか１項に記載の照明装置。
【請求項７】
前記レンズは、フレネルレンズであることを特徴とする請求項１から６のいずれか１項に記載の照明装置。
【発明の詳細な説明】
【技術分野】
【０００１】
本発明は、照明装置に関し、詳しくは、照明ユニットと器具本体とを組合せて構成される照明器具の照明ユニットとして好適に用いられる照明装置に関する。
【背景技術】
【０００２】
従来、照明ユニットと器具本体とを組合せて構成される照明器具（例えば、特許文献１参照）、及び、その照明ユニットとして好適に用いられる照明装置（例えば、特許文献２参照）が提案されている。図５に、このような従来の照明器具の一例を示す。照明器具１００は、略円柱状の照明ユニット１１０と、照明ユニット１１０が組み込まれる器具本体１２０からなり、照明ユニット１１０は、フレーム１０１と、光源部１０４と、レンズ１０５とを含んでいる。照明ユニット１１０において、レンズ１０５は、フレーム１０１の前面側に取り付けられ、基板１０３と基板１０３の実装面１０３ａ上に実装された発光素子１０２とを含む光源部１０４は、発光素子１０２からの出射光が前方に向かうように、フレーム１０１の背面側に取り付けられる。また、器具本体１２０は、照明ユニット１１０の組み込み時に照明ユニット１１０の側面１０６を囲む環状の筐体１１２と、筐体１１２の一方の開口を覆うように設けられた放熱部１１４とを有している。
【０００３】
そして、図５に示す照明器具１００では、フレーム１０１の側面１０６に複数の突起１０７が設けられ、筐体１１２の内面１１３には、それぞれの突起１０７に対応する係止受部１１５が設けられており、照明器具１００の使用時において、照明ユニット１１０は、各突起１０７が対応する係止受部１１５によって係止されるように筐体１１２内に組み込まれる。さらに、照明器具１００は、このように照明ユニット１１０が筐体１１２内に組み込まれたときに、基板１０３の背面１０３ｂと放熱部１１４とが接触するように構成され、これによって、発光素子１０２から発生する熱を効率良く放熱することが図られている。
【先行技術文献】
【特許文献】
【０００４】
【特許文献１】特開２０１２−１０４２５７号公報
【特許文献２】特開２０１１−１５１２１８号公報
【発明の概要】
【発明が解決しようとする課題】
【０００５】
しかしながら、図５に示したような従来の照明器具１００では、突起１０７や係止受部１１５の形成位置の寸法精度が低い場合、光源部１０４の基板１０３の背面１０３ｂと放熱部１１４との接触が十分なものとはならず、例えば、背面１０３ｂの一部のみが放熱部１１４と接触した状態（片当たり）が発生する場合がある。そして、このような状態が発生すると、発光素子１０２で発生する熱を放熱部１１４に効率良く放熱することができず、光源部１０４の温度が上昇して、発光素子１０２の発光効率が低下するという問題があった。
【０００６】
本発明は、上記課題に鑑み、器具本体に組み込まれたときに光源部と器具本体の放熱部とが安定して接触可能な照明ユニットに適した照明装置を提供することを目的とする。
【課題を解決するための手段】
【０００７】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【０００８】
（１）光源部が搭載される第１フレームと、前記第１フレームの前方に配置され、レンズを保持する第２フレームと、前記第１フレームと前記第２フレームとの間に配置される第３フレームとを備えており、前記第１フレームと前記第２フレームは互いに固定されて一体の主フレームを構成し、前記第３フレームと前記主フレームは、弾性変形部を介して結合されてその結合位置で前後方向に相対的に変位自在であることを特徴とする照明装置（請求項１）。
【０００９】
本項に記載の照明装置では、第３フレームと前記主フレームは、弾性変形部を介して結合されてその結合位置で前後方向に相対的に変位自在である。
これによって、例えば、弾性変形部を離散的または連続的に配置して第３フレームと主フレームとを結合し、このように配置された弾性変形部を各結合位置で前後方向に変形させることにより、第３フレームと主フレームとを、全体として、前後方向に相対的に移動させることができる。その際、弾性変形部を、結合位置毎に異なる変形量が含まれるように変形することによって、各結合位置での変形量のバランスに従って、第３フレームと主フレームとの相対的な傾きも調整することができる。
【００１０】
したがって、本項に記載の照明装置を、照明ユニットと器具本体とを組合せて構成される照明器具の照明ユニットとして使用する場合、第３フレームに器具本体との位置合わせの基準を設けることにより、器具本体と第３フレームとの位置合わせの精度が低い場合でも、主フレームを、第３フレームに対して変位（前後方向の移動および傾きの調整）させて、器具本体に対して所望の位置に配置することが可能となる。
【００１１】
そして、これによって、通常、器具本体の背面側に設けられる放熱部に対して、光源部が搭載された第１フレームを安定して接触させることが可能となり、光源部から発生する熱を器具本体の放熱部に効率良く伝熱することにより、光源部の温度上昇を抑制し、ひいては光源部の発光効率を向上させることができる。本項に記載の照明装置は、特に、光源部が発光ダイオードからなる発光素子を備えている場合に、有利なものである。
【００１２】
さらに、本項に記載の照明装置では、主フレームが、光源部が搭載される第１フレームとレンズを保持する第２フレームとを互いに固定して構成されており、光源部が搭載された第１フレームを安定して器具本体の放熱部に接触させるために必要な調整は、主フレームの第３フレームに対する変位によって実施されるため、光源部とレンズとの相対的な配置（例えば、光源部とレンズとの間の距離）を変化させず、ひいては、照明装置から出射される照明光の配光分布に影響を及ぼすことなく、上述したような光源部の発光効率の向上を達成することができる。
【００１３】
（２）（１）項に記載の照明装置において、前記第３フレームは、その外側面に、前記照明装置を外部の筐体に取り付けるための係止部を備えていることを特徴とする照明装置（請求項２）。
【００１４】
本項に記載の照明装置によれば、照明ユニットと器具本体とを組合せて構成される照明器具に対して、本項に記載の照明装置をその照明ユニットとして使用する場合に、照明装置を器具本体の筐体に取り付ける照明ユニットを容易に形成することが可能となり、その際、第３フレームに設けられる係止部を、第３フレームと筐体との位置合わせの基準として用いることができる。また、弾性変形部の弾性力を利用して、照明装置を器具本体の筺体に安定かつ確実に取り付けることができる。
【００１５】
（３）（１）または（２）項に記載の照明装置において、前記第１フレームは、高熱伝導性材料から形成されていることを特徴とする照明装置（請求項３）。
【００１６】
本項に記載の照明装置によれば、照明ユニットと器具本体とを組合せて構成される照明器具に対して、本項に記載の照明装置をその照明ユニットとして使用する場合、光源部から発生する熱をさらに効率良く器具本体の放熱部に伝熱することにより、光源部の発光効率をさらに向上させることが可能となる。
【００１７】
（４）（１）から（３）のいずれか１項に記載の照明装置において、前記弾性変形部は、光軸回りに回転対称に配置されていることを特徴とする照明装置（請求項４）。
【００１８】
本項に記載の照明装置によれば、第３フレームと主フレームとの相対的な変位をバランスよく実施することが可能となる。尚、本発明において、光軸とは、光源部から出射される光の配向分布の中心軸をいう。この光軸は、通常、光源部の発光部の幾何学的中心軸に一致する。
【００１９】
（５）（１）から（４）のいずれか１項に記載の照明装置において、前記第２フレームは、前記光源部から出射された光を反射する傾斜面からなる反射面を有しており、前記反射面の前記第３フレーム側には補強用のリブが設けられるとともに、前記第３フレームの前記第２フレーム側には、前記リブを係止して前記主フレームと前記第３フレームとの相対的な回転を規制する係止片が設けられていることを特徴とする照明装置（請求項５）。
【００２０】
本項に記載の照明装置によれば、第２フレームが有する反射面を有していることにより、光源部から出射された光のうち直接レンズに入射しなかった光を、反射面により反射してレンズに入射させることにより、光源からの出射光の利用効率を向上させることができる。また、第２フレームの反射面の第３フレーム側に補強用のリブが設けられ、第３フレームの第２フレーム側には、第２のフレームのリブを係止して主フレームと第３フレームとの相対的な回転を規制する係止片が設けられていることにより、照明装置の組立性及び構造安定性を向上させることができる。
【００２１】
（６）（１）から（５）のいずれか１項に記載の照明装置において、前記第３フレームは、前記第１フレーム側に突出するピンを有しており、前記弾性変形部は、前記ピンに配置されるスプリングワッシャーからなることを特徴とする照明装置（請求項６）。
【００２２】
本項に記載の照明装置によれば、弾性変形部を介して主フレームと第３フレームとを結合する機構を、容易かつ安価に形成することができる。
【００２３】
（７）（１）から（６）のいずれか１項に記載の照明装置において、前記レンズは、フレネルレンズであることを特徴とする照明装置（請求項７）。
【００２４】
本項に記載の照明装置によれば、所望の配光分布を薄型かつ軽量の構造により実現することが可能となる。
【発明の効果】
【００２５】
本発明は、以上のように構成したため、照明ユニットと器具本体とを組合せて構成される照明器具において、器具本体に組み込まれたときに光源部と器具本体の放熱部とが安定して接触可能な照明ユニットに適した照明装置を提供することが可能となる。
【図面の簡単な説明】
【００２６】
【図１】本発明の第１実施形態における照明装置の要部を示す断面図である。
【図２】図１に示す照明装置が照明ユニットとして器具本体に組み込まれた照明器具を示す断面図である。
【図３】本発明の第２実施形態における照明装置の要部を分解して示す断面図である。
【図４】図３に示す照明装置において、中継基板と第１フレームとを組合せて後方側から見た平面図である。
【図５】従来の照明器具の構成例を示す断面図である。
【発明を実施するための形態】
【００２７】
以下、本発明の実施の形態を添付図面に基づいて説明する。尚、照明装置を示す各図（図１〜図４）は、いずれも、その要部のみを示す模式図である。したがって、本発明の各実施形態における照明装置は、図示が省略された他の構成要素を備えるものであってもよく、また、図示された各部分の相対的な寸法は、説明のために特徴を強調して示すものであっって、必ずしも実際の縮尺を反映するものではない。
【００２８】
本発明の第１実施形態における照明装置１０は、光源部１６が搭載される第１フレーム１１と、第１フレーム１１の前方に配置され、レンズ２６を保持する第２フレーム２１と、第１フレーム１１と第２フレーム２１との間に配置される第３フレーム３０とを備えている。照明装置１０において、第１フレーム１１と第２フレーム２１は、互いに固定されて一体の主フレーム２０を構成し、第３フレーム３０と主フレーム２０は、弾性変形部３６を介して結合される。
【００２９】
照明装置１０において、光源部１６は、円形状の発光部１４と発光部１４を搭載する矩形状の搭載基板１５を備えており、発光部１４は、青色光を発光する複数のＬＥＤチップ（図示は省略する）を黄色蛍光体が分散された樹脂材料により封止し、これによって白色光を発光するように構成されている。また、搭載基板１５は、アルミニウム等の高熱伝導性の材料から形成されている。
【００３０】
ここで、照明装置１０において、光源部１６が光を射出する方向（搭載基板１５から発光部１４に向かう方向）を前方、その逆方向を後方といい、照明装置１０の各構成要素について、前方及び後方の面をそれぞれ表面、背面ともいう。また、本発明において、光軸は、光源部１６から射出される光の配光分布の中心軸をいい、照明装置１０では、この光軸は、円形の発光部１４の幾何的中心軸に一致する。
【００３１】
また、照明装置１０において、第１フレーム１１、第２フレーム２１、第３フレーム３０は、上面視略円形の外形を有する形状に形成されて互いに同軸に配置されており、以下では、これらの共通の中心軸に符号ＣＬを付す。さらに、光源部１６は、第１フレーム１１に、発光部１４の中心軸（すなわち、光軸）と第１フレーム１１の中心軸ＣＬとが一致するように搭載されており、以下、光軸についても、符号ＣＬを付して参照する。
【００３２】
第１フレーム１１は、例えばアルミニウム等の高熱伝導性の材料から、扁平円柱状に形成され、光源部１６は、第１フレーム１１の表面１１ａの中央部に搭載される。また、第１フレーム１１の背面１１ｂは、後述するように、図２に示したような器具本体４５に照明装置１０が組み込まれたときに、器具本体４５の放熱部４２と接触する伝熱面として機能する。また、第１フレーム１１の表面１１ａ側の、光源部１６の搭載される領域よりも外周側には、弾性変形部３６を収納するための凹部３５が形成されている。尚、照明装置１０では、図示された２つの凹部３５に加えて、中心軸ＣＬ回りに９０°回転させた位置に、同様の２つの凹部３５が設けられている。
【００３３】
第２フレーム２１は、光反射性に優れた白色樹脂を用いて扁平円柱状に形成され、第１フレーム１１の前方に、第１フレーム１１と同軸に配置される。第２フレーム２１の表面側には、円形の第１開口２２が形成され、背面側には、第１開口２２よりも小径の円形の第２開口２３が形成されている。第１開口２２の内縁側には、段部２２ａが形成されており、この段部２２ａ上に円板状のレンズ２６が配置されて、任意の適切な手段により第２フレーム２１に保持されるものである。この際、照明装置１０では、レンズ２６は、その光軸が、上述した意味での照明装置１０の光軸ＣＬと一致するように配置される。
【００３４】
照明装置２０を組立たときに、光源部１６の発光部１４は、第２フレーム２１の第２開口２３から露出するように構成されている。また、第２フレーム２１の内部には、第１開口２２と第２開口２３との間に、前方に向かって広がるように傾斜する円錐状の傾斜面として、反射面２４が形成される。
【００３５】
第３フレーム３０は、白色樹脂を用いて、平面部３１と平面部３１の外側に設けられた円筒状の外側面部３４とから、断面が扁平Ｈ状となるように形成されている。第３フレーム３０の外側面部３４は、第１フレーム１１の外側面の略全域と、第２フレーム２１の外側面の後方側の一部とを覆うように形成されている。また、外側面部３４には、照明装置５０を外部の筐体（例えば、図２に示したような器具本体４５の筐体４１）に取り付けるための係止部３２が、外方に突出する突起として設けられている。照明装置１０では、図示された２つの係止部３２に加えて、中心軸ＣＬ回りに９０°回転させた位置に、同様の２つの係止部３２が設けられている。
【００３６】
照明装置１０は、光源部１６が搭載された第１フレーム１１とレンズ２６が保持された第２フレーム２１とを、それらの間に第３フレーム３０を挟んだ状態で固定することによって構成される。また、この固定は、第１フレームの凹部３５に弾性変形部３６を収納し、第３フレーム３０は、その一部が弾性変形部３６を前方から覆うように配置された状態で行われる。照明装置１０において、弾性変形部３６は、ブロック状またはリング状の弾性部材（例えば、ゴム、スポンジ）からなるものであってもよい。
【００３７】
以上のように構成された照明装置１０では、第１フーレム１１及び第２フレーム２１を固定して構成される主フレーム２０と第３フレーム３０とは、４つの弾性変形部３６を介して結合されて、それぞれの結合位置で前後方向に相対的に変位自在となる。
これによって、弾性変形部３６を各結合位置で前後方向に変形させることにより、第３フレーム３０と主フレーム２０とを、全体として、前後方向（図上、白抜き矢印で示す）に相対的に移動させることができる。その際、弾性変形部３６を、結合位置毎に異なる変形量が含まれるように変形することによって、各結合位置での変形量のバランスに従って、第３フレーム３０と主フレーム２０との相対的な傾きも調整することができる。
【００３８】
このような照明装置１０を、図２に示すように、照明ユニットと器具本体とを組合せて構成される照明器具４０の照明ユニット（同様の符号１０を付す）として使用する場合の作用効果について説明すれば、次の通りである。ここで照明器具４０は、照明ユニット１０と、照明ユニット１０が組み込まれる器具本体４５を有しており、器具本体４５は、照明ユニット１０の組み込み時に照明ユニット１０の側面を囲む環状の筐体４１と、筐体４１の一方の開口を覆うように設けられた放熱部４２とを有している。
【００３９】
さらに、筐体４５の内面４５ａには、照明ユニット１０の第３フレーム３０に設けられたそれぞれの係止部（突起）３２に対応する係止受部４３が設けられており、照明器具４０の使用時において、照明ユニット１０は、各係止部３２が対応する係止受部４３によって前方で係止されるように筐体４１内に組み込まれる。したがって、照明器具１０では、照明ユニット１０の係止部３２と、筐体４１の係止受部４３との接触面が、器具本体４５に対する照明ユニット１０の位置合わせ基準Ｓとなる。
【００４０】
このとき、本実施形態における照明装置を用いた照明ユニット１０では、係止部３２と係止受部４３とによって定められる位置合わせの精度が低い場合でも、主フレーム２０を、第３フレーム３０に対して変位（前後方向の移動および傾きの調整）させて、器具本体４５に対して所望の位置に配置することが可能となる。
【００４１】
そして、これによって、器具本体４５の背面側に設けられる放熱部４２に対して、光源部１６が搭載された第１フレーム１１を安定して接触させることが可能となり、光源部１６から発生する熱を器具本体４５の放熱部４２に効率良く伝熱することにより、光源部１６の温度上昇を抑制し、ひいては光源部１６の発光効率を向上させることができる。ここでは、照明装置１０のように、光源部１６の発光部１４が、発光ダイオードから構成されている場合に、有利なものである。
【００４２】
さらに、照明装置１０では、主フレーム２０が、光源部１６が搭載される第１フレーム１１とレンズ２６を保持する第２フレーム２１とを互いに固定して構成されており、光源部１６が搭載された第１フレーム１１を安定して器具本体４５の放熱部４２に接触させるために必要な調整は、主フレーム２０の第３フレーム３０に対する変位によって実施されるため、光源部１６とレンズ２６との相対的な配置（例えば、光源部１６とレンズ２６との間の距離）を変化させず、ひいては、照明装置１０から出射される照明光の配光分布に影響を及ぼすことなく、上述したような光源部１６の発光効率の向上を達成することができる。
【００４３】
照明装置１０において、４つの弾性変形部３６は、光軸ＣＬ回りに回転対称に配置されているため、第３フレーム３０と主フレーム２０との相対的な変位をバランスよく実施することが可能となる。
【００４４】
また、図２に示すような照明器具４０は、器具本体４５を天井等に埋設し、このように埋設された器具本体４５に対して照明ユニット１０を組み込んで、天井等から室内を照明する所謂ダウンライトとして好適に使用されるものであるが、照明ユニット１０は、各係止部３２が対応する係止受部４３によって前方（この使用例では下方）で係止されるように筐体４１内に組み込まれる構造を有するため、弾性変形部３６を備えていても、照明ユニット１０の耐落下性能が、従来の照明ユニットと比較して低下することはないものである。むしろ、弾性変形部３６の弾性力を利用して、照明ユニット１０を器具本体４５に安定かつ確実に取り付けることができる。
【００４５】
次に、図３及び図４を参照して、本発明の第２実施形態における照明装置５０について説明する。ここで、図３は、照明装置５０の要部を分解して示す断面図、図４は、図３に示す照明装置５０において、中継基板８０と第１フレーム５１とを組合せて後方側から見た平面図である。照明装置５０は、光源部１６が搭載される第１フレーム５１と、第１フレーム５１の前方に配置され、本実施形態におけるレンズであるフレネルレンズ６６を保持する第２フレーム６１と、第１フレーム５１と第２フレーム６１との間に配置される第３フレーム７０とを備えている。後述するように、第１フレーム５１と第２フレーム６１は、互いに固定されて一体の主フレーム６０を構成し、第３フレーム７０と主フレーム６０は、本実施形態における弾性変形部であるスプリングワッシャー８２を介して結合される。
【００４６】
照明装置５０において、光源部１６は、円形状の発光部１４と発光部１４を搭載する矩形状の搭載基板１５を備えており、発光部１４は、青色光を発光する複数のＬＥＤチップ（図示は省略する）を黄色蛍光体が分散された樹脂材料により封止し、これによって白色光を発光するように構成されている。また、搭載基板１５は、アルミニウム等の高熱伝導性の材料から形成されている。
【００４７】
ここで、照明装置５０において、光源部１６が光を射出する方向（搭載基板１５から発光部１４に向かう方向）を前方、その逆方向を後方といい、照明装置５０の各構成要素について、前方及び後方の面をそれぞれ表面、背面ともいう。また、本発明において、光軸は、光源部１６から射出される光の配光分布の中心軸をいい、照明装置５０では、この光軸は、円形の発光部１４の幾何的中心軸に一致する。
【００４８】
また、照明装置５０において、第１フレーム５１、第２フレーム６１、第３フレーム７０は、上面視略円形の外形を有する形状に形成されて互いに同軸に配置されており、以下では、これらの共通の中心軸に符号ＣＬを付す。さらに、光源部１６は、第１フレーム５１に、発光部１４の中心軸（すなわち、光軸）と第１フレーム５１の中心軸ＣＬとが一致するように搭載されており、以下、光軸についても、符号ＣＬを付して参照する。
【００４９】
第１フレーム５１は、例えばアルミニウム等の高熱伝導性の材料から、扁平円柱状に形成される。第１フレーム５１の表面側の中央部には、角柱状の第１座部５４が形成され、背面側の中央部には、円柱状の第２座部５５が形成されている。また、第１フレーム５１は、その外周側に４つ腕部５２、５３を有しており（図４参照）、これらの腕部５２、５３は、第１フレーム５１の中心軸ＣＬ回りに回転対称に配置されている。これらの腕部５２、５３のうち、互いに対向する２つの腕部５２には、背面側から皿ねじ８３を挿通するための皿もみ孔５７が形成されている。
【００５０】
第１フレーム５１の第１座部５４上には、放熱シート８１を介して光源部１６が搭載される。第２座部５５の背面５５ａは、図２に示したような器具本体４５に照明装置５０が組み込まれたときに、器具本体４５の放熱部４２と接触する伝熱面として機能する。また、第２座部５５の外径は、第２座部５５が第１座部５４よりも一回り大きくなるように設定されており、第２座部５５の表面側には、後述する第３フレーム７０のピン７２が移動自在に収納される凹部５６が形成されている。
【００５１】
第２フレーム６１は、光反射性に優れた白色樹脂を用いて扁平円柱状に形成され、第１フレーム５１の前方に、第１フレーム５１と同軸に配置される。第２フレーム６１の表面側には、円形の第１開口６２が形成され、背面側には、第１開口６２よりも小径の円形の第２開口６３が形成されている。第１開口６２の内縁側には、段部６２ａが形成されており、この段部６２ａ上に円板状のフレネルレンズ６６が配置されて、任意の適切な手段により第２フレーム６１に保持されるものである。この際、照明装置５０では、フレネルレンズ６６は、その光軸が、上述した意味での照明装置５０の光軸ＣＬと一致するように配置される。
【００５２】
照明装置５０を組立たときに、光源部１６の発光部１４は、第２フレーム６１の第２開口６３から露出し、その際、第２開口６３の外縁部６３ａは、光源部１６の搭載基板１５を後方に押さえ付けるように構成されている。また、第２フレーム６１の内部には、第１開口６２と第２開口６３との間に、前方に向かって広がるように傾斜する円錐状の傾斜面として反射面６４が形成される。そして、反射面６４の背面側（第３フレーム７０側）には、三角形の薄板状に形成された補強用のリブ６７が設けられている。尚、図示は省略するが、照明装置５０では、図示された２つのリブ６７に加えて、中心軸ＣＬ回りに９０°回転させた位置に、同様の２つのリブ７２が設けられている。また、第２フレーム６１の外周面側には、第１フレーム５１の腕部５２に対応する位置に、皿ねじ８３を螺着するための孔部６５が設けられている。
【００５３】
第３フレーム７０は、白色樹脂を用いて、平面部７１と平面部７１の外側に設けられた円筒状の外側面部７４とから、断面が扁平Ｈ状となるように形成されている。平面部７１の裏面側には、後方に突出するピン７２が垂設されている。また、ピン７２の表面側には、照明装置７０を組立たときに第２フレーム６１のリブ６７を受け入れる溝部７６が形成されており、それぞれの溝部７６において、対向する２つの壁部７６ａ（手前側の壁部７６ａの図示は省略する）が、第２フレーム６１（したがって、第１フレーム５１と固定後の主フレーム６０）と第３フレーム７０との、中心軸ＣＬ回りの相対的な回転を規制する係止片として機能する。 尚、照明装置５０では、図示された２つのピン７２に加えて、中心軸ＣＬ回りに９０°回転させた位置に、同様の２つのピン７２が設けられており、溝部７６についても同様である。
【００５４】
第３フレーム７０の外側面部７４は、第１フレーム５１の外側面の略全域と、第２フレーム６１の外側面の後方側の一部とを覆うように形成されている。また、外側面部７４には、照明装置５０を図２に示したような器具本体４５に組み込む際に、器具本体４５の筐体４１に取り付けるための係止部７５が、外方に突出する突起として設けられている。照明装置５０では、図示された２つの係止部７５に加えて、中心軸ＣＬ回りに９０°回転させた位置に、同様の２つの係止部７５が設けられている。
【００５５】
さらに、第３フレーム７０には、平面部７１の裏面側に中継基板８０が取り付けられる。ここで、中継基板８０は、照明装置５０が図２に示したような器具本体４５に組み込まれたときに、器具本体４５のコネクタ（図示は省略するが、放熱部４２の表面４２ａ上にコネクタが配置されている）と光源部１６とを電気的に接続するために用いられる多層基板であり、光源部１６の搭載基板１５とは、リード線（図示は省略する）等により電気的に接続されている。
【００５６】
照明装置５０において、中継基板８０は、第１フレーム５１の２つの腕部５３と対応する位置において、ねじ（図示は省略する）により平面部７１に取り付けられる。図４に示すように、第１フレーム５１の腕部５３には、その表面側に、中継基板８０を第３フレーム７０に取り付けるためのねじのねじ頭を、第３フレーム７０と第１フレーム５１（したがって、第２フレーム６１と固定後の主フレーム６０）との相対的な移動に伴って、移動自在に収納する座ぐり５８が形成されている。
【００５７】
尚、図４に示すように、中継基板８０の背面側には、円弧状の電極パターン８４が形成されており、照明装置５０を器具本体４５に組み込んだときに、この電極パターン８４と器具本体４５のコネクタのばね性を有するコンタクトとが物理的に接触することにより、器具本体４５と中継基板８０、ひいては光源部１６が電気的に接続されるものである。また、このような電気的接続を可能とするため、第１フレーム５１の第２座部５５と中継基板８０とは、第２座部５５の外側（第２座部５５と４つの腕部５２、５３によって区画される４つの空間内）に、電極パターン８４が露出する大きさに設定されている。
【００５８】
さらに、第３フレーム７０の平板部７１には、その中央部に、少なくとも第１フレーム５１の（光源部１６が搭載された）第１座部５４が相対的に移動自在に挿通される開口部７７が形成され、第１フレーム５１の腕部５２に対応する位置に、腕部５２の凸部５２ａが、相対的に移動自在に挿通される開口部７３が形成されている。同様に、中継基板８０にも、第１フレーム５１の第１座部５４及び腕部５２の凸部５２ａ、第３フレーム７０のピン７２、並びに、スプリングワッシャー８２を逃がすために必要な開口部及び／または切欠き部（図面への符号の記載は省略する）が形成されている。
【００５９】
照明装置５０は、光源部１６が搭載された第１フレーム５１とフレネルレンズ６６が保持された第２フレーム６１とを、それらの間に第３フレーム７０を挟んだ状態で、皿ねじ８３により固定することによって構成される。また、この固定は、第３フレーム７０に中継基板８０が取付けられ、かつ、第３フレーム７０のピン７２に、スプリングワッシャー８２が配置された状態で行われる。
【００６０】
以上のように構成された照明装置５０では、第１フレーム５１及び第２フレーム６１を固定して構成される主フレーム６０と第３フレーム７０とは、４つのスプリングワッシャー８２を介して結合されて、それぞれの結合位置で前後方向に相対的に変位自在となる。これによって、照明装置５０は、上述した照明装置１０と同様の作用効果を奏するものである。
【００６１】
以上、本発明を好ましい実施形態に基づいて説明してきたが、本発明に係る照明装置は、上述した実施形態に限定されるものではない。
例えば、上述した実施形態では、いずれも、複数の弾性変形部３６、８２を、光軸ＣＬ回りに回転対称に配置するものとしたが、本発明に係る照明装置において、弾性変形部は、このように離散的に配置するのではなく、１つのリング状の弾性部材を光軸ＣＬ回りに、そのリングの中心と光軸ＣＬとが一致するように配置するものであってもよい。
また、弾性変形部は、第３フレーム３０、７０の表面側（第２フレーム２１、６１側）に配置されるものであってもよい。
【００６２】
また、係止部３２、７５、弾性変形部３６、８２、及び、ねじ（例えば、皿ねじ８３）等の数や配置の具体的態様が、上述した実施形態に限定されないことは言うまでもない。
い。
【符号の説明】
【００６３】
１０，５０：照明装置、１１，５１：第１フレーム、１６：光源部、２６，６６：レンズ、２１，６１：第２フレーム、３０，７０：第３フレーム、２０，６０：主フレーム、３６，８２：弾性変形部
【図１】
2014235832.tif 000003
【図２】
2014235832.tif 000004
【図３】
2014235832.tif 000005
【図４】
2014235832.tif 000006
【図５】
2014235832.tif 000007